【手続補正書】
【提出日】平成25年8月8日(2013.8.8)
【手続補正１】
【補正対象書類名】明細書
【補正対象項目名】発明の名称
【補正方法】変更
【補正の内容】
【発明の名称】ジョブ処理デバイス、その制御方法、及びコンピュータプログラム
【手続補正２】
【補正対象書類名】明細書
【補正対象項目名】０００１
【補正方法】変更
【補正の内容】
【０００１】
本発明は、ジョブ処理デバイス、その制御方法、及びコンピュータプログラムに関し、特に、ユニバーサルシリアルバス（ＵＳＢ）インタフェース（Ｉ／Ｆ）を介して接続されるホスト機器からジョブを受信してその処理を行うジョブ処理デバイスに関する。
【手続補正３】
【補正対象書類名】明細書
【補正対象項目名】００１１
【補正方法】変更
【補正の内容】
【００１１】
従って、本発明の目的は、データ通信に必要な通信速度を満たしつつ、データ通信を行う前に通信速度を変更して、通信不良を防止することのできるジョブ処理デバイス、その制御方法、及びコンピュータプログラムを提供することにある。
【手続補正４】
【補正対象書類名】明細書
【補正対象項目名】００１２
【補正方法】変更
【補正の内容】
【００１２】
上記の目的を達成するため、本発明によるジョブ処理デバイスは、第１の信号線を介する第１の接続モードの信号と第２の信号線を介する第２の接続モードの他の信号の両方を同時に送受信可能なホストインタフェースを備えるホストと接続可能であり、前記ホストから送信されたジョブを処理するジョブ処理デバイスであって、前記第１の接続モードは第１の通信速度で通信を行い、前記第２の接続モードは前記第１の通信速度よりも遅い第２の通信速度で通信を行うジョブ処理デバイスにおいて、前記第１の信号線を介する前記第１の接続モードの前記信号及び前記第２の信号線を介する前記第２の接続モードの前記他の信号の両方を同時に送受信することが可能なデバイスインタフェースと、ジョブを処理する第１の動作モードから該第１の動作モードよりも電力消費が低い第２の動作モードへ遷移する際、前記デバイスインタフェースと前記ホストインタフェースとが前記第２の接続モードで接続されていると、前記デバイスインタフェースを前記第２の接続モードから前記第１の接続モードに変更する接続制御手段と、前記接続制御手段により前記デバイスインタフェースの接続モードが変更された後、前記ジョブ処理デバイスと前記ホストの間の前記第１の接続モードでの接続を確立する接続確立手段と、前記接続確立手段により前記ジョブ処理デバイスと前記ホストの間の前記第１の接続モードでの接続が確立された後、前記ホストと前記ジョブ処理デバイスとの間の動作モードを前記第１の動作モードから第２の動作モードに遷移させるモード制御手段と、を有することを特徴とする。
【手続補正５】
【補正対象書類名】明細書
【補正対象項目名】００１３
【補正方法】変更
【補正の内容】
【００１３】
また、本発明によるジョブ処理デバイスは、第１の信号線を介する第１の接続モードの信号と第２の信号線を介する第２の接続モードの他の信号の両方を同時に送受信可能なホストインタフェースを備え、当該ホストインタフェースと接続するデバイスの接続モードの変更を監視するホストと接続可能であり、前記ホストから送信されたジョブを処理するジョブ処理デバイスであって、前記第１の接続モードは第１の通信速度で通信を行い、前記第２の接続モードは前記第１の通信速度よりも遅い第２の通信速度で通信を行うジョブ処理デバイスにおいて、前記第１の信号線を介する前記第１の接続モードの前記信号及び前記第２の信号線を介する前記第２の接続モードの他の信号を同時に送受信可能なデバイスインタフェースと、前記ホストに前記デバイスインタフェースを有する別のジョブ処理デバイスがさらに接続されている場合に、前記ホストによる監視によって前記別のジョブ処理デバイスにおける接続モードの変更が検知されると、当該変更された前記接続モードが前記第１の接続モードであれば、前記ジョブ処理デバイスの接続モードを第１の接続モードに設定し、前記変更された接続モードが前記第２の接続モードであれば、前記ジョブ処理デバイスの接続モードを第２の接続モードに設定する接続制御手段と、を有することを特徴とする。
【手続補正６】
【補正対象書類名】特許請求の範囲
【補正対象項目名】全文
【補正方法】変更
【補正の内容】
【特許請求の範囲】
【請求項１】
第１の信号線を介する第１の接続モードの信号と第２の信号線を介する第２の接続モードの他の信号の両方を同時に送受信可能なホストインタフェースを備えるホストと接続可能であり、前記ホストから送信されたジョブを処理するジョブ処理デバイスであって、前記第１の接続モードは第１の通信速度で通信を行い、前記第２の接続モードは前記第１の通信速度よりも遅い第２の通信速度で通信を行うジョブ処理デバイスにおいて、
前記第１の信号線を介する前記第１の接続モードの前記信号及び前記第２の信号線を介する前記第２の接続モードの前記他の信号の両方を同時に送受信することが可能なデバイスインタフェースと、
ジョブを処理する第１の動作モードから該第１の動作モードよりも電力消費が低い第２の動作モードへ遷移する際、前記デバイスインタフェースと前記ホストインタフェースとが前記第２の接続モードで接続されていると、前記デバイスインタフェースを前記第２の接続モードから前記第１の接続モードに変更する接続制御手段と、
前記接続制御手段により前記デバイスインタフェースの接続モードが変更された後、前記ジョブ処理デバイスと前記ホストの間の前記第１の接続モードでの接続を確立する接続確立手段と、
前記接続確立手段により前記ジョブ処理デバイスと前記ホストの間の前記第１の接続モードでの接続が確立された後、前記ホストと前記ジョブ処理デバイスとの間の動作モードを前記第１の動作モードから第２の動作モードに遷移させるモード制御手段と、
を有することを特徴とするジョブ処理デバイス。
【請求項２】
前記第１の接続モードは前記第２の接続モードよりも省電力効果が大きい接続モードであり、前記第２の接続モードは前記第１の接続モードよりも安定した通信が可能な接続モードであることを特徴とする請求項１記載のジョブ処理デバイス。
【請求項３】
前記ホストは、他のデバイスインタフェースを有する別のジョブ処理デバイスとさらに接続されており、
前記接続制御手段は、前記第２の動作モードから前記第１の動作モードへ遷移する際、前記デバイスインタフェースと前記ホストインタフェースとが前記第１の接続モードで接続され、且つ前記他のデバイスインタフェースと前記ホストインタフェースとが前記第２の接続モードで接続されていると、前記デバイスインタフェースを前記第１の接続モードから前記第２の接続モードに変更し、
前記モード制御手段は、接続モードが変更された後、第２の動作モードから第１の動作モードに遷移させることを特徴とする請求項１又は２記載のジョブ処理デバイス。
【請求項４】
前記接続制御手段は、前記ホストに別のジョブ処理デバイスが接続された場合に、前記ホストによって判定された前記別のジョブ処理デバイスにおける接続モードを表すモード判定結果が前記第１の接続モードであれば、前記ジョブ処理デバイスの接続モードを前記第１の接続モードに設定し、前記モード判定結果が前記第２の接続モードであれば、前記ジョブ処理デバイスの接続モードを前記第２の接続モードに設定することを特徴とする請求項１から３のいずれか１項に記載のジョブ処理デバイス。
【請求項５】
第１の信号線を介する第１の接続モードの信号と第２の信号線を介する第２の接続モードの他の信号の両方を同時に送受信可能なホストインタフェースを備え、当該ホストインタフェースと接続するデバイスの接続モードの変更を監視するホストと接続可能であり、前記ホストから送信されたジョブを処理するジョブ処理デバイスであって、前記第１の接続モードは第１の通信速度で通信を行い、前記第２の接続モードは前記第１の通信速度よりも遅い第２の通信速度で通信を行うジョブ処理デバイスにおいて、
前記第１の信号線を介する前記第１の接続モードの前記信号及び前記第２の信号線を介する前記第２の接続モードの他の信号を同時に送受信可能なデバイスインタフェースと、
前記ホストに前記デバイスインタフェースを有する別のジョブ処理デバイスがさらに接続されている場合に、前記ホストによる監視によって前記別のジョブ処理デバイスにおける接続モードの変更が検知されると、当該変更された前記接続モードが前記第１の接続モードであれば、前記ジョブ処理デバイスの接続モードを第１の接続モードに設定し、前記変更された接続モードが前記第２の接続モードであれば、前記ジョブ処理デバイスの接続モードを第２の接続モードに設定する接続制御手段と、
を有することを特徴とするジョブ処理デバイス。
【請求項６】
前記接続制御手段は、前記変更された接続モードが前記第１の接続モードであるとき、前記デバイスインタフェースと前記ホストインタフェースとが前記第２の接続モードで接続されていると、前記デバイスインタフェースにおける接続モードを前記第１の接続モードに切替えて前記ホストと再接続することを特徴とする請求項５記載のジョブ処理デバイス。
【請求項７】
前記接続制御手段は、前記変更された接続モードが前記第２の接続モードであるとき、前記デバイスインタフェースと前記ホストインタフェースとが前記第１の接続モードで接続されていると、前記デバイスインタフェースにおける接続モードを前記第２の接続モードに切替えて前記ホストと再接続することを特徴とする請求項５記載のジョブ処理デバイス。
【請求項８】
前記ホストインタフェース及び前記デバイスインタフェースの各々は、ＵＳＢ３．０インタフェースであり、
前記第１及び前記第２の接続モードはそれぞれスーパースピードモード及びハイスピードモードであることを特徴とする請求項１から７のいずれか１項に記載のジョブ処理デバイス。
【請求項９】
前記ジョブはプリントジョブであり、
前記ジョブ処理デバイスは、前記プリントジョブに応じて画像形成を行う画像形成装置であることを特徴とする請求項１から８のいずれか１項に記載のジョブ処理デバイス。
【請求項１０】
第１の信号線を介する第１の接続モードの信号と第２の信号線を介する第２の接続モードの他の信号の両方を同時に送受信可能なホストインタフェースを備えるホストと接続可能であり、前記ホストから送信されたジョブを処理するジョブ処理デバイスであって、前記第１の接続モードは第１の通信速度で通信を行い、前記第２の接続モードは前記第１の通信速度よりも遅い第２の通信速度で通信を行うジョブ処理デバイスを制御するための制御方法において、
前記ジョブ処理デバイスは、前記第１の信号線を介する前記第１の接続モードの前記信号及び前記第２の信号線を介する前記第２の接続モードの前記他の信号の両方を同時に送受信することが可能なデバイスインタフェースを備えており、
ジョブを処理する第１の動作モードから該第１の動作モードよりも電力消費が低い第２の動作モードへ遷移する際、前記デバイスインタフェースと前記ホストインタフェースとが前記第２の接続モードで接続されているか否かを判定する判定ステップと、
前記デバイスインタフェースと前記ホストインタフェースとが前記第２の接続モードで接続されていると判定されると、前記デバイスインタフェースを前記第２の接続モードから前記第１の接続モードに変更する接続制御ステップと、
前記接続制御ステップにより前記デバイスインタフェースの接続モードが変更された後、前記ジョブ処理デバイスと前記ホストの間の前記第１の接続モードでの接続を確立する接続確立ステップと、
前記接続確立ステップにより前記ジョブ処理デバイスと前記ホストの間の前記第１の接続モードでの接続が確立された後、前記ホストと前記ジョブ処理デバイスとの間の動作モードを前記第１の動作モードから第２の動作モードに遷移させるモード制御ステップと、
を有することを特徴とする制御方法。
【請求項１１】
第１の信号線を介する第１の接続モードの信号と第２の信号線を介する第２の接続モードの他の信号の両方を同時に送受信可能なホストインタフェースを備え、当該ホストインタフェースと接続するデバイスの接続モードの変更を監視するホストと接続可能であり、前記ホストから送信されたジョブを処理するジョブ処理デバイスを制御するための制御方法において、
前記ジョブ処理デバイスは、前記第１の信号線を介する前記第１の接続モードの前記信号及び前記第２の信号線を介する前記第２の接続モードの他の信号を同時に送受信可能なデバイスインタフェースを備えると共に、前記第１の接続モード時は第１の通信速度で通信を行い、前記第２の接続モード時は該第１の通信速度よりも遅い第２の通信速度で通信を行い、
前記ホストに前記デバイスインタフェースを有する別のジョブ処理デバイスがさらに接続されている場合に、前記ホストによる監視によって前記別のジョブ処理デバイスにおける接続モードの変更を検知する検知ステップと、
当該変更された前記接続モードが前記第１の接続モードであれば、前記ジョブ処理デバイスの接続モードを第１の接続モードに設定し、前記変更された接続モードが前記第２の接続モードであれば、前記ジョブ処理デバイスの接続モードを第２の接続モードに設定する接続制御ステップと、
を有することを特徴とする制御方法。
【請求項１２】
請求項１０又は１１記載の制御方法をコンピュータに実行させるためのコンピュータプログラム。